(57)【要約】【課題】データ通信用に２通話チャネルを固定することなく、通話毎に通話チャネルを自由に並び換えて設定することにより、データ通信に２通話チャネルを利用するとともに、音声通話に３チャンネルの通話チャネルが有効に利用できる利便性の高い通話路制御パッケージを提供する。【解決手段】通話制御ＬＳＩ８と、ＡＤＰＣＭ（Ａｄａｐｔｉｖｅ　Ｄｉｆｆｅｒｅｎｔｉａｌ　Ｐｕｌｓｅ　Ｃｏｄｅ　Ｍｏｄｕｌａｔｉｏｎ）コーデック９と、通話チャネルの交換情報を格納する交換情報記憶手段１２、通話チャネルのデータを一時記憶する通話データ記憶手段１１、交換情報記憶手段の交換情報を制御する制御手段１３を有する時間スイッチ１０と、回線制御ＬＳＩ１４を備える。【選択図】　図２
2004056704.tif 000002
【特許請求の範囲】
【請求項１】
事業所用ディジタルコードレス電話機の基地局と交換機を接続し、前記基地局に割当てられた通話チャネルを並び換え、前記基地局と前記交換機のデータ伝送速度の異なる通話チャネルの整合を取る通話路制御パッケージであって、
通話チャネルの交換情報を格納する交換情報記憶手段と、前記交換情報記憶手段の交換情報を制御する制御手段と、通話チャネルのデータを一時記憶する通話データ記憶手段と、からなる時間スイッチを備えたことを特徴とする通話路制御パッケージ。
【請求項２】
前記通話データ記憶手段は、一時記憶した通話チャネルのデータを前記交換情報記憶手段から供給される交換情報に基づいて出力することを特徴とする請求項１記載の通話路制御パッケージ。
【請求項３】
前記制御手段は、通話毎に前記交換情報記憶手段の交換情報を書き替え、通話チャネルの順番を任意に変更することを特徴とする請求項１記載の通話路制御パッケージ。
【発明の詳細な説明】
【０００１】
【発明の属する技術分野】
本発明は事業所用ディジタルコードレス電話機の基地局に割当てられた通話チャネルを並び換え、基地局と交換機のデータ伝送速度の異なる通話チャネルの整合を取る通話路制御パッケージに関する。
【０００２】
【従来の技術】
従来の事業所用ディジタルコードレス電話機の基地局において、割当てられる通話チャネルは、３２ｋｂｐｓの通話チャネルが３チャネル、制御チャネルが１チャネルのものが知られている。（以後、３２ｋｂｐｓの通話チャネルをＢＯチャネル、制御チャネルをＤＯチャネルとする。）
【０００３】
したがって、従来の事業所用ディジタルコードレス電話機の基地局は、音声通話や３２ｋｂｐｓのデータ通信を行う場合には、それぞれＢＯの通話チャネルが１チャネル用いられている。
【０００４】
しかし、近年、ＩＳＤＮのような公衆サービスで採用されている６４ｋｂｐｓのデータ通信を行う場合（Ｂチャネル＝６４ｋｂｐｓ）には、基地局に割当てられた通話チャネル（ＢＯチャネル＝３２ｋｂｐｓ）を２チャネル使用しなければならないため、事業所用ディジタルコードレス電話機でＢチャネルのデータ通信を行うことを想定すると、データ通信の実行如何に拘わらず、常に通話チャネル２ＢＯをデータ通信用の通話チャネルＢとして固定する必要がある。
【０００５】
【発明が解決しようとする課題】
従来の事業所用ディジタルコードレス電話機の基地局は、６４ｋｂｐｓのデータ通信用に、３２ｋｂｐｓの通話チャネルを２チャネル（２ＢＯ）固定するため、データ通信を行わない場合でも、音声通話の通話チャネルとしては２チャネルが使用できるだけで、本来３チャネル使用できる音声通話の通話チャネルが有効に利用できない課題がある。
【０００６】
この発明はこのような課題を解決するためになされたもので、その目的はデータ通信用に２通話チャネルを固定することなく、通話毎に通話チャネルを自由に並び換えて設定することにより、データ通信に２通話チャネルを利用するとともに、音声通話に３チャンネルの通話チャネルが有効に利用できる利便性の高い通話路制御パッケージを提供することにある。
【０００７】
【課題を解決するための手段】
前記課題を解決するためこの発明に係る通話路制御パッケージは、事業所用ディジタルコードレス電話機の基地局と交換機を接続し、基地局に割当てられた通話チャネルを並び換え、基地局と交換機のデータ伝送速度の異なる通話チャネルの整合を取る通話路制御パッケージであって、通話チャネルの交換情報を格納する交換情報記憶手段と、交換情報記憶手段の交換情報を制御する制御手段と、通話チャネルのデータを一時記憶する通話データ記憶手段とからなる時間スイッチを備えたことを特徴とする。
【０００８】
この発明に係る通話路制御パッケージは、通話チャネルの交換情報を格納する交換情報記憶手段と、交換情報記憶手段の交換情報を制御する制御手段と、通話チャネルのデータを一時記憶する通話データ記憶手段とからなる時間スイッチを備えたので、一時記憶した通話チャネルのデータを交換情報によって任意に並べ替え、２つの通話チャネルを組み合わせてデータ通信用の通話チャネルを形成することができ、通話チャネルの有効利用ならびに利便性の向上を図ることができる。
【０００９】
また、この発明に係る通話データ記憶手段は、一時記憶した通話チャネルのデータを交換情報記憶手段から供給される交換情報に基づいて出力することを特徴とする。
【００１０】
この発明に係る通話データ記憶手段は、一時記憶した通話チャネルのデータを交換情報記憶手段から供給される交換情報に基づいて出力するので、データ通信用の通話チャネルを自由に設定することができる。
【００１１】
さらに、この発明に係る制御手段は、通話毎に交換情報記憶手段の交換情報を書き替え、通話チャネルの順番を任意に変更することを特徴とする。
【００１２】
この発明に係る制御手段は、通話毎に交換情報記憶手段の交換情報を書き替え、通話チャネルの順番を任意に変更するので、通話チャネルの利用状況に応じて複数のパターンでデータ通信用の通話チャネルおよび音声通話用の通話チャネルの組合せを選択することができる。
【００１３】
【発明の実施の形態】
以下、この発明の実施の形態を添付図面に基づいて説明する。図１はこの発明に係る通話路制御パッケージが適用される事業所用ディジタルコードレス電話システムの基本構成図である。なお、基地局７に割当てられる通話チャネルは、３２ｋｂｐｓが３チャネル、構内交換機２側の通話チャネルは、６４ｋｂｐｓのため、基地局７と構内交換機２との間でデータ通信を行うためには、基地局７側で３２ｋｂｐｓの通話チャネルが２チャネル分必要とされる。
【００１４】
図１において、事業所ディジタルコードレス電話システム１は、構内交換機２と、構内交換機２に収容される基地局７、内線電話機ＴＥＬ１〜ＴＥＬｎ、ＩＳＤＮ回線Ｌと、基地局７と無線で交信するディジタルコードレス電話機ＨＴ１〜ＨＴ３と、ディジタルコードレス電話機ＨＴ１〜ＨＴ３に接続してデータ通信を行うパーソナルコンピュータＰＣとから構成する。
【００１５】
構内交換機２は、クロスポイントスイッチ３、制御装置４、記憶装置５、通話路制御パッケージ６、内線トランクＴＲ１〜ＴＲｎ、外線トランクＴＬ１〜ＴＬｋを備える。なお、クロスポイントスイッチ３、制御装置４および記憶装置５は、内部バスＢＬを介して接続する。
【００１６】
クロスポイントスイッチ３は、電子スイッチ等で構成し、制御装置４の制御により、内線トランクＴＲ１〜ＴＲｎ間を接続して内線通話の通話路を形成したり、内線トランクＴＲ１〜ＴＲｎと外線トランクＴＬ１〜ＴＬｋを接続してＩＳＤＮ回線Ｌとの通話路を形成する。
【００１７】
また、クロスポイントスイッチ３は、制御装置４の制御により、内線トランクＴＲ１〜ＴＲｎや外線トランクＴＬ１〜ＴＬｋと通話路制御パッケージ６を接続し、通話路を形成する。
【００１８】
制御装置４は、マイクロプロセッサを基本に構成し、各種演算機能、処理機能を備え、内線トランクＴＲ１〜ＴＲｎ、外線トランクＴＬ１〜ＴＬｋ、クロスポイントスイッチ３、記憶装置５および通話路制御パッケージ６の構内交換機２全体の動作を制御する。
【００１９】
記憶装置５は、ＲＯＭ（Ｒｅａｄ　Ｏｎｌｙ　Ｍｅｍｏｒｙ）等の固定メモリやＲＡＭ（ＲａｎｄｏｍＡｃｃｅｓｓ　Ｍｅｍｏｒｙ）、ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ　Ｏｎｌｙ　Ｍｅｍｏｒｙ）等の書換え可能なメモリで構成し、交換動作制御プログラムなどの各種プログラム、局データおよび各種テーブルを記憶する。
【００２０】
通話路制御パッケージ６は、マイクロプロセッサ、ＬＳＩ、メモリ等で構成し、基地局７とクロスポイントスイッチ３を接続し、基地局７と構内交換機２側の音声データＤＡやデータ通信データＤＴの送受信を制御する。
【００２１】
通話路制御パッケージ６は、基地局７に割当てられた３２ｋｂｐｓの通話チャネル（３チャネル）と構内交換機２側の６４ｋｂｐｓの通話チャネルとの間で、音声通話やデータ通信を実行するため、基地局７に割当てられた通話チャネルを並び換え、基地局７と交換機２のデータ伝送速度（３２ｋｂｐｓと６４ｋｂｐｓ）の異なる通話チャネルの整合を取る制御を実行する。
【００２２】
通話路制御パッケージ６は、通話チャネルの並び換えのため、交換情報記憶手段、制御手段、通話データ記憶手段からなる時間スイッチを備える。
【００２３】
基地局７は、割当てられた３チャネルの通話チャネルを用いて、ディジタルコードレス電話機ＨＴ１〜ＨＴ３との間で、３２ｋｂｐｓの音声データＤＡや６４ｋｂｐｓのデータ通信データＤＴの無線交信を実行する。なお、データ通信データＤＴの送受信は、ディジタルコードレス電話機ＨＴ１〜ＨＴ３にパーソナルコンピュータＰＣを接続して行う。
【００２４】
図２はこの発明に係る通話路制御パッケージの一実施の形態要部ブロック構成図である。図２において、通話路制御パッケージ６は、通話制御ＬＳＩ８、ＡＤＰＣＭ（Ａｄａｐｔｉｖｅ　Ｄｉｆｆｅｒｅｎｔｉａｌ　Ｐｕｌｓｅ　Ｃｏｄｅ　Ｍｏｄｕｌａｔｉｏｎ）コーデック９、時間スイッチ１０、回線制御ＬＳＩ１４を備える。
【００２５】
通話制御ＬＳＩ８は、構内交換機２から供給される通話チャネル（６４ｋｐｐｓの２チャネル：２Ｂ）の音声情報と制御チャネル（１チャネル：Ｄ）の制御情報を処理する。
【００２６】
ＡＤＰＣＭ（Ａｄａｐｔｉｖｅ　Ｄｉｆｆｅｒｅｎｔｉａｌ　Ｐｕｌｓｅ　Ｃｏｄｅ　Ｍｏｄｕｌａｔｉｏｎ）コーデック９は、構内交換機２から供給される６４ｋｂｐｓの音声データを３２ｋｂｐｓに圧縮し、一方、基地局７から供給される３２ｋｂｐｓの音声データを６４ｋｂｐｓに伸長する。
【００２７】
時間スイッチ１０は、通話データ記憶手段１１、交換情報記憶手段１２、制御手段１３を備える。通話データ記憶手段１１は、書換え可能なＲＡＭ等のメモリで通話メモリを構成し、構内交換機２から供給される通話チャネル（６４ｋｂｐｓ）および基地局７から供給される通話チャネル（３２ｋｂｐｓ）のデータを一時記憶する。また、通話データ記憶手段１１は、一時記憶した通話チャネルのデータを交換情報記憶手段１２から供給される交換情報に基づいて出力する。
【００２８】
交換情報記憶手段１２は、書換え可能なＲＡＭ等のメモリで保持メモリを構成し、６４ｋｂｐｓの通話チャネルまたは３２ｋｂｐｓの通話チャネルの交換情報を格納する。この交換情報は、書き替える通話チャネルのアドレスを指定する。
【００２９】
制御手段１３は、マイクロプロセッサで構成し、交換情報記憶手段１２に格納された交換情報により、通話データ記憶手段１１に一時記憶された通話チャネルのデータを呼び出し、構内交換機２側または基地局７側に出力させる制御を実行する。
【００３０】
また、制御手段１３は、通話毎に交換情報記憶手段１２の交換情報を書き替え、通話データ記憶手段１１に一時記憶された通話チャネルの順番を任意に変更する。
【００３１】
構内交換機２から通話制御ＬＳＩ８を介して供給される６４ｋｂｐｓの音声データは、ＡＤＰＣＭコーデック９で３２ｋｂｐｓの音声データに圧縮された後に、通話データ記憶手段１１（通話メモリ）に一時記憶され、制御手段１３によって音声データの送出タイミングを決定する交換情報記憶手段１２（保持メモリ）の交換情報が指定され、３２ｋｂｐｓの音声データが通話データ記憶手段１１（通話メモリ）から読み出されて回線制御ＬＳＩ１４を介して基地局７に送られる。
【００３２】
一方、基地局７から回線制御ＬＳＩ１４を介して供給される３２ｋｂｐｓの音声データは、通話データ記憶手段１１（通話メモリ）に一時記憶された後に、ＡＤＰＣＭ９コーデックで６４ｋｂｐｓの音声データに伸長され、通話制御ＬＳＩ８を介して構内交換機２に送られる。
【００３３】
図３はこの発明に係る時間スイッチの一実施の形態基本構成図である。図３において入方路、出方路は、構内交換機２側を入方路とすると、基地局７側が出方路であり、基地局７側を入方路とすると、構内交換機２側が出方路である。
【００３４】
また、通話メモリ（通話データ記憶手段１１）および保持メモリ（交換情報記憶手段１２）は、それぞれ通話チャネルのデータ記憶領域および交換情報のデータ記憶領域を表す。通話チャネルのデータ記憶領域および交換情報のデータ記憶領域には、アドレスを付与し、マイクロプロセッサ（ＭＰＵ）から保持メモリのアドレスを指定して交換情報（ここでは、通話メモリのアドレス）を通話メモリに提供し、通話メモリから通話チャネルのデータを読み出して出力させる。
【００３５】
次に、時間スイッチの動作について説明する。まず、構内交換機２側から音声データを基地局７側へ送る場合について説明する。基地局７の通話チャネルの割当ては、３２ｋｂｐｓの通話チャネルが３チャネル（３ＢＯ）と制御チャネルが１チャネル（ＤＯ）であるが、構内交換機２の内部インタフェースの通話チャネルは、６４ｋｂｐｓのＰＣＭデータである。
【００３６】
したがって、時間スイッチは、３２ｋｂｐｓ毎に音声データを通話メモリのデータ記憶領域に一時蓄積し、蓄積した音声データの中から３つの音声データ（３２ｋｂｐｓの通話チャネル３ＢＯに相当）を読み出すことになるため、通話メモリのデータ記憶領域が８面、保持メモリのデータ記憶領域が４面で構成すればよいことになる。
【００３７】
図４はこの発明に係る時間スイッチの一実施の形態イメージ図である。図４において、６４ｋｂｐｓの通話チャネルが３チャネル（３Ｂ）と制御チャネルが１チャネル（Ｄ）を３２ｋｂｐｓの通話チャネルが３チャネル（３ＢＯ）と制御チャネルが１チャネル（ＤＯ）に変更する。３チャネル分の６４ｋｂｐｓ音声データ（ＴＳ１，ＴＳ２，ＴＳ３）と１チャネル分の制御データ（ＴＳ０）をそれぞれ１／２分割し、３２ｋｂｐｓの上位ビットデータ（ＴＳ０Ｈ，ＴＳ１Ｈ，ＴＳ２Ｈ，ＴＳ３Ｈ）と下位ビットデータ（ＴＳ０Ｌ，ＴＳ１Ｌ，ＴＳ２Ｌ，ＴＳ３Ｌ）に分割し、タイムスロット番号（０〜７）を付与して通話メモリの８面のデータ記憶領域に一時記憶する。
【００３８】
基地局７で必要とされる３２ｋｂｐｓの音声データの通話チャネルは３チャネルであり、上位ビットデータ（ＴＳ０Ｈ，ＴＳ１Ｈ，ＴＳ２Ｈ，ＴＳ３Ｈ）のみが必要とされるため、保持メモリの４面のデータ記憶領域に交換情報としてタイムスロット番号（０，２，４，６）を付与して記憶し、マイクロプロセッサから保持メモリのタイムスロット番号（０，２，４，６）を指示し、タイムスロット番号（０，２，４，６）順に通話メモリから上位ビットデータ（ＴＳ０Ｈ，ＴＳ１Ｈ，ＴＳ２Ｈ，ＴＳ３Ｈ）を読み出して出力することにより、基地局７に割当てられた３ＢＯ＋ＤＯの通話チャネルを満足することができる。
【００３９】
タイムスロットカウンタは、時分割多重通話路の通話チャネルに同期して更新され、まず、その値で保持メモリのアドレスの内容を読み出す（図３では、保持メモリのｉ番地より通話メモリの呼出しアドレスｊを読み出す。）。
【００４０】
次に、保持メモリより読み出した内容（アドレスｊ）を通話メモリのアドレスとしてさらにその内容、つまり通話メモリ内に一時蓄えられていた交換すべき音声データを回線制御ＬＳＩ１４に対して読み出す。
【００４１】
最後に、同じタイムスロットカウンタの内容を通話メモリのアドレスとしてＡＤＰＣＭコーデック９からの音声データを通話メモリに書き込むことにより、交換動作が行われる。なお、通常、保持メモリは、タイムスロットカウンタから周期的に供給されるアドレス情報に従い、読出し動作のみを行っているが、時間スイッチの内容を変更する場合には、マイクロプロセッサからデータが書き込まれる。
【００４２】
続いて、基地局７側から音声データを構内交換機２側へ送る場合について説明する。図５はこの発明に係る時間スイッチの別実施の形態イメージ図である。図５において、３２ｋｂｐｓの通話チャネルが３チャネル（３ＢＯ）と制御チャネルが１チャネル（ＤＯ）を６４ｋｂｐｓの通話チャネルが３チャネル（３Ｂ）と制御チャネルが１チャネル（Ｄ）に変更する。３チャネル分の３２ｋｂｐｓ音声データ（ＴＳ０Ｈ，ＴＳ１Ｈ，ＴＳ２Ｈ，ＴＳ３Ｈ）とし、タイムスロット番号（０〜３）を付与して通話メモリの４面のデータ記憶領域に一時記憶する。
【００４３】
構内交換機２で必要とされる６４ｋｂｐｓの音声データの３通話チャネルは、３２ｋｂｐｓ音声データ（ＴＳ０Ｈ，ＴＳ１Ｈ，ＴＳ２Ｈ，ＴＳ３Ｈ）の２倍のデータ量が必要とされるため、保持メモリの８面のデータ記憶領域にそれぞれ重複した交換情報としてタイムスロット番号（０，０，１，１，２，２，３，３）を付与して記憶し、マイクロプロセッサから保持メモリのタイムスロット番号（０，０，１，１，２，２，３，３）を指示し、通話メモリから順に、制御チャネルＴＳ０Ｈ，ＴＳ０Ｈ、通話チャネルの１チャネルＴＳ１Ｈ，ＴＳ１Ｈ、２チャネルＴＳ２Ｈ，ＴＳ２Ｈ、３チャネルＴＳ３Ｈ，ＴＳ３Ｈを呼び出して出力することにより、基地局７からの３２ｋｂｐｓの通話チャネル（３ＢＯ＋ＤＯ）から構内交換機２の６４ｋｂｐｓの通話チャネル（３Ｂ＋Ｄ）への変換を満足することができる。
【００４４】
図６はこの発明に係る通話チャネル並び換えの実施の形態パターン図である。図６において、基地局７に割当てられた３２ｋｂｐｓの３通話チャネルは、構内交換機２からの６４ｋｂｐｓのデータ通信用として２通話チャネル、音声通信用として１通話チャネルが利用できる。なお、６４ｋｂｐｓの音声通信用としては３通話チャネルを利用することができる。
【００４５】
６４ｋｂｐｓの３通話チャネルのデータＴＳｘをそれぞれ３２ｋｂｐｓの上位ビット（ＴＳｘＨ）と下位ビット（ＴＳｘＬ）の２通話チャネルのデータ構成にし、上位ビットＴＳ１Ｈ，ＴＳ２Ｈ，ＴＳ３Ｈと下位ビットＴＳ１Ｌ，ＴＳ２Ｌ，ＴＳ３Ｌをそれぞれ１チャネル（Ｂ０１），２チャネル（Ｂ０２），３チャネル（Ｂ０３）に割当て、データ通信用チャネルとして２チャネルを並び替えて構成することにより、３パターンを構成することができる。
【００４６】
例えば、１パターンにおいて、最初にデータ通信を利用する場合、Ｂ０１チャネルとＢ０２チャネルを併せて６４ｋｂｐｓの１通話チャネル（ＴＳ１Ｈ＋ＴＳ１Ｌ）とし、データ通信中に音声通信を利用する時には、空きのＢ０３チャネル（ＴＳ２Ｈ）を用いることができる。
【００４７】
また、２パターンにおいて、最初にＢ０２チャネル（ＴＳ２Ｈ）を利用して音声通信を行い、音声通信中にデータ通信を利用する時には、空きのＢ０１チャネルとＢ０３チャネルを併せて６４ｋｂｐｓの１通話チャネル（ＴＳ１Ｈ＋ＴＳ１Ｌ）を用いることができる。
【００４８】
さらに、３パターンにおいて、最初にＢ０１チャネル（ＴＳ１Ｈ）を利用して音声通信を行い、音声通信中にデータ通信を利用する時には、空きのＢ０２チャネルとＢ０３チャネルを併せて６４ｋｂｐｓの１通話チャネル（ＴＳ２Ｈ＋ＴＳ２Ｌ）を用いることができる。
【００４９】
なお、Ｂ０１チャネル、Ｂ０２チャネルおよびＢ０３チャネルを利用して３２ｋｂｐｓの３チャネル（ＴＳ１Ｈ，ＴＳ２Ｈ，ＴＳ３Ｈ）の音声通話を行うことができる。
【００５０】
このように、この発明に係る通話路制御パッケージ６は、通話チャネルの交換情報を格納する交換情報記憶手段（保持メモリ）１２と、交換情報記憶手段１２の交換情報を制御する制御手段（マイクロプロセッサ）１３と、通話チャネルのデータを一時記憶する通話データ記憶手段（通話メモリ）１１とからなる時間スイッチ１０を備えたので、一時記憶した通話チャネルのデータを交換情報によって任意に並べ替え、２つの通話チャネルを組み合わせてデータ通信用の通話チャネルを形成することができ、通話チャネルの有効利用ならびに利便性の向上を図ることができる。
【００５１】
また、この発明に係る通話データ記憶手段（通話メモリ）１１は、一時記憶した通話チャネルのデータを交換情報記憶手段（保持メモリ）１２から供給される交換情報に基づいて出力するので、データ通信用の通話チャネルを自由に設定することができる。
【００５２】
さらに、この発明に係る制御手段（マイクロプロセッサ）１３は、通話毎に交換情報記憶手段（保持メモリ）１２の交換情報を書き替え、通話チャネルの順番を任意に変更するので、通話チャネルの利用状況に応じて複数のパターンでデータ通信用の通話チャネルおよび音声通話用の通話チャネルの組合せを選択することができる。
【００５３】
【発明の効果】
以上説明したように、この発明に係る通話路制御パッケージは、通話チャネルの交換情報を格納する交換情報記憶手段と、交換情報記憶手段の交換情報を制御する制御手段と、通話チャネルのデータを一時記憶する通話データ記憶手段とからなる時間スイッチを備えたので、一時記憶した通話チャネルのデータを交換情報によって任意に並べ替え、２つの通話チャネルを組み合わせてデータ通信用の通話チャネルを形成することができ、通話チャネルの有効利用ならびに利便性の向上を図ることができる。
【００５４】
また、この発明に係る通話データ記憶手段は、一時記憶した通話チャネルのデータを交換情報記憶手段から供給される交換情報に基づいて出力するので、データ通信用の通話チャネルを自由に設定することができる。
【００５５】
さらに、この発明に係る制御手段は、通話毎に交換情報記憶手段の交換情報を書き替え、通話チャネルの順番を任意に変更するので、通話チャネルの利用状況に応じて複数のパターンでデータ通信用の通話チャネルおよび音声通話用の通話チャネルの組合せを選択することができる。
【図面の簡単な説明】
【図１】この発明に係る通話路制御パッケージが適用される事業所用ディジタルコードレス電話システムの基本構成図である。
【図２】この発明に係る通話路制御パッケージの一実施の形態要部ブロック構成図である。
【図３】この発明に係る時間スイッチの一実施の形態基本構成図である。
【図４】この発明に係る時間スイッチの一実施の形態イメージ図である。
【図５】この発明に係るこの発明に係る時間スイッチの別実施の形態イメージ図である。
【図６】この発明に係る通話チャネル並び換えの実施の形態パターン図である。
【符号の説明】
１　事業所ディジタルコードレス電話システム
２　構内交換機
３　クロスポイントスイッチ
４　制御装置
５　記憶装置
６　通話路制御パッケージ
７　基地局
８　通話制御ＬＳＩ
９　ＡＤＰＣＭ
１０　時間スイッチ
１１　通話データ記憶手段
１２　交換情報記憶手段
１３　制御手段
１４　回線制御ＬＳＩ
ＤＡ　　音声データ
ＤＴ　　データ通信データ
ＴＲ１〜ＴＲｎ　内線トランク
ＴＬ１〜ＴＬｋ　外線トランク
ＴＥＬ１〜ＴＥＬｎ　内線電話機
Ｌ　ＩＳＤＮ回線
ＨＴ１〜ＨＴ３　ディジタルコードレス電話機
ＰＣ　パーソナルコンピュータ
【図１】
2004056704.tif 000003
【図２】
2004056704.tif 000004
【図３】
2004056704.tif 000005
【図４】
2004056704.tif 000006
【図５】
2004056704.tif 000007
【図６】
2004056704.tif 000008